(57)【特許請求の範囲】
【請求項１】
軸を中心に回転される押しボタンの押し下げによってバルブユニットの被動部が押されて吐水及び止水が実行される水栓において、
前記押しボタンの軸を前記被動部の動作方向の前方において被動部と対向する位置に配置するとともに、前記押しボタンと前記被動部との間には、押しボタンの動作方向を変換して前記被動部に伝達するための動作方向変更機構を設け、
シャワー水を吐水及び止水させるためのバルブユニットと、スパウト水を吐水及び止水させるためのバルブユニットとを横方向に並設するとともに、前記各バルブユニットにそれぞれ対応する押しボタンを縦に並設し、下方の押しボタンの前記軸を一方のバルブユニットの被動部の動作方向の前方に配置するとともに、その下方の押しボタンと前記一方のバルブユニットの被動部との間に前記動作方向変更機構を設けた水栓。
【請求項２】
前記押しボタンの被動部側の端部を前記被動部の前面に当接させ、前記動作方向変更機構は押しボタンの被動部側の端部と前記被動部の前面との間に設けられたカム面によって構成した請求項１に記載の水栓。
【請求項３】
前記被動部の前面に前記カム面を、前記押しボタンの被動部側の端部に前記カム面上を転動するローラを設けた請求項２に記載の水栓。
【請求項４】
前記下方の押しボタンの軸を前記被動部の下半部と対応する位置に配置するとともに、前記カム面を被動部の下半部に形成した請求項３に記載の水栓。
【請求項５】
軸を中心に回転される押しボタンの押し下げによってバルブユニットの被動部が押されて吐水及び止水が実行される水栓において、
前記押しボタンの軸を前記被動部の動作方向の前方において被動部と対向する位置に配置するとともに、前記押しボタンと前記被動部との間には、押しボタンの動作方向を変換して前記被動部に伝達するための動作方向変更機構を設け、
前記押しボタンの被動部側の端部を前記被動部の前面に当接させ、前記動作方向変更機構は押しボタンの被動部側の端部と前記被動部の前面との間に設けられたカム面によって構成した水栓。
【請求項６】
前記被動部の前面に前記カム面を、前記押しボタンの被動部側の端部に前記カム面上を転動するローラを設けた請求項５に記載の水栓。
【発明の詳細な説明】
【技術分野】
【０００１】
本発明は、押しボタンにより吐水及び止水の切換え等を行ない得るようにした水栓に関するものである。
【背景技術】
【０００２】
この種の水栓が特許文献１に開示されている。この特許文献１に開示された水栓は、シャワー用押しボタンと、スパウト用押しボタンとが横方向に並設されるとともに、シャワー用バルブユニットとスパウト用バルブユニットとが同じく横方向に並設されている。
【先行技術文献】
【特許文献】
【０００３】
【特許文献１】特開２００９−３０３１６号公報
【発明の概要】
【発明が解決しようとする課題】
【０００４】
ところが、水栓の使用者に対してシャワーヘッドは上側に、スパウトは下側に位置するものであるため、前記押しボタンが横方向に並設されていると、使用者にはシャワーヘッド及びスパウトと両押しボタンとの対応関係を把握しにくい。つまり、シャワーヘッドとスパウトとの上下位置関係に対応させて押しボタンを縦方向に配列すれば、押しボタンとバルブユニットとの対応関係を把握しやすい。しかし、このように構成した場合、押しボタンの押し下げ操作によってバルブユニットが円滑に開閉動作されるように、バルブユニットも縦方向に配列される必要がある。従って、水栓が縦方向に長いものになってデザイン性が損なわれるばかりでなく、水栓の下方の空間が狭くなって、使用しにくいことになる。
【０００５】
本発明は、このような従来の技術に存在する問題点に着目してなされたものである。その目的は、デザイン性に優れ、使用しやすい水栓を実現できるようにすることにある。
【課題を解決するための手段】
【０００６】
上記の目的を達成するために、本発明は、軸を中心に回転される押しボタンの押し下げによってバルブユニットの被動部が押されて吐水及び止水が実行される水栓において、前記押しボタンの軸を前記被動部の動作方向の前方において被動部と対向する位置に配置するとともに、前記押しボタンと前記被動部との間には、押しボタンの動作方向を変更してその変更された動作を前記被動部に伝達するための動作方向変更機構を設けたことを特徴とする。
【０００７】
以上のように構成すれば、バルブユニットの被動部の前方に配置された押しボタンの操作方向が被動部の動作方向と異なる方向であっても、バルブユニットの被動部を円滑に動作させることができる。従って、複数のバルブユニットが横方向に並設された構成において押しボタンが縦方向に配置されていても、バルブユニットを円滑に切換動作させることができる。このため、水栓として横長で、デザイン性に優れた使いやすいものとすることができる。
【発明の効果】
【０００８】
本発明によれば、デザイン性が優れるとともに、使いやすい水栓を実現できる。
【図面の簡単な説明】
【０００９】
【図１】実施形態の水栓を示す斜視図。
【図２】水栓の正面図。
【図３】水栓の分解斜視図。
【図４】押しボタンとバルブユニットとの関係を示す斜視図。
【図５】図２の５−５線断面図。
【図６】図２の６−６線断面図。
【図７】第１バルブユニット及び第１押しボタンを示す側面図。
【図８】第２バルブユニット及び第２押しボタンを示す側面図。
【図９】変更例を示す断面図。
【図１０】別の変更例を示す断面図。
【発明を実施するための形態】
【００１０】
以下に、本発明を具体化した水栓の実施形態を図面に従って説明する。
図３に示す水栓の本体１１は図示しない給水管に接続されている。図1〜図３に示すように、本体１１はカバー１２によって覆われ、このカバー１２は互いに結合された上部側カバー片１２１と下部側カバー片１２２とによって構成されている。本体１１の後部の上部にはシャワーヘッド（図示しない）がホース（図示しない）を介して接続される接続部（図示しない）が設けられている。本体１１の下部にはスパウト（図示しない）を接続するための接続部１３が設けられている。
【００１１】
図３及び図４に示すように、前記本体１１には第１バルブユニット２１と第２バルブユニット２２とが横方向に並設されている。第１バルブユニット２１は前記シャワーヘッドからの吐水と、止水とを切換えるためのものである。第２バルブユニット２２は前記スパウトからの吐水と、止水とを切換えるものである。第１，第２バルブユニット２１，２２は被動部としての被動ボタン２３，２４を備えている。それらの被動ボタン２３，２４は前後方向に動作されるプッシュ交替動作式であって、１回目に押し込まれることによって吐水状態を切換設定し、２回目に押し込まれることによって止水状態を切換設定する。
【００１２】
図６及び図８に示すように、第２バルブユニット２２の被動ボタン２４の前面の下半部には、下部側が後退するとともに、上部側が前進する円弧状のカム面２４１が形成されている。
【００１３】
図１，図５及び図７に示すように、前記上部側カバー片１２１の前上部における横方向の中央部であって、第１バルブユニット２１の上方位置には、第１押しボタン３１がその後部両側の軸３２において上下方向に回転可能に支持されている。軸３２は第１バルブユニット２１の上方に位置している。図４に示すように、第１押しボタン３１の右端部の裏面側には押し込み脚３３が下方へ向かって突出形成され、その先端が前記シャワー側の第１バルブユニット２１の被動ボタン２３に対向している。
【００１４】
この状態で、第１押しボタン３１及び押し込み脚３３の自重により、自然状態で押し込み脚３３の下端部が被動ボタン２３の前面に当接し、この状態では、第１押しボタン３１の被操作面である上面がやや前下がりのほぼ水平状態になっている。そして、図５に矢印で示すように、第１押しボタン３１の操作方向は下向き方向であって、第１押しボタン３１が押し下げられて軸３２を中心に下方へ回転されることにより、被動ボタン２３が押し込み脚３３により後方へ押され、被動ボタン２３が吐水または止水状態に切換えられる。
【００１５】
図１，図６及び図８に示すように、前記第１押しボタン３１の下側において、かつ上部側カバー片１２１の前部における横方向の中央部であって、第２バルブユニット２２のほぼ前方位置には第２押しボタン３４がその両側の軸３５において前後方向に回転可能に支持されている。図４に示すように、第２押しボタン３４の左端部の裏面側にはほぼ扇形状をなす押し込み脚３６が後部下方に向かって突出形成され、その後端には前記被動ボタン２４のカム面２４１に対向するローラ３７が回転可能に支持されている。そして、第２押しボタン３４の自重により、自然状態においてローラ３７の外周面が被動ボタン２４のカム面２４１の下部に当接している。図６に示すように、この状態では、第２押しボタン３４の被操作面である前面が上向きの傾斜状態になっていて、第２押しボタン３４の押し込み方向は、矢印方向で示す後方に向かう斜め下方である。
【００１６】
図８に示すように、第２押しボタン３４の軸３５は、第２バルブユニット２２の被動ボタン２４の前面の下半部と対向する位置，すなわち被動ボタン２４の動作方向の前方に配置され、被動ボタン２４の中心軸線Ｃと平行な方向に向かう被動ボタン２４の下半部の投影面Ｆ内の上部に位置している。
【００１７】
そして、第２押しボタン３４が押し下げられて軸３５を中心に後方側の斜め下方へ回転されることにより、ローラ３７がカム面２４１上を上方に転動する。これによって、カム面２４１のカム作用によって被動ボタン２４が後方へ押され、吐水または止水状態に切換えられる。従って、カム面２４１により、第２押しボタン３４の運動方向を変換して被動ボタン２４を押し込み動作させるための動作方向変更機構が構成されている。なお、被動ボタン２４の前面にカム面２４１が形成されることなく、被動ボタン２４の前面がその中心軸線Ｃに対して直交する平面形状の場合は、第２押しボタン３４の押し下げによってローラ３７を介して被動ボタン２４をわずかに押し込むことができるが、第２バルブユニット２２を吐水状態または止水状態に切換えるには至らない。
【００１８】
従って、本実施形態の水栓は以下のように作用する。
シャワーの止水状態において、第１押しボタン３１が軸３２を中心に回動されるように押し下げられると、押し込み脚３３を介して被動ボタン２３が押し込まれて、シャワーが吐水状態になる。また、第１押しボタン３１が再度押し下げられると、押し込み脚３３を介して被動ボタン２３が再度押し込まれて、シャワーが止水される。
【００１９】
また、スパウトの止水状態において、第２押しボタン３４が軸３５を中心に回動されるように斜め下方に押し下げられると、ローラ３７が被動ボタン２４のカム面２４１上を上方に転動しながらカム作用により被動ボタン２４が押し込まれて、スパウトからの吐水状態になる。また、第２押しボタン３４が再度押し下げられると、前記と同様にカム作用により被動ボタン２４が再度押し込まれて、スパウトからの吐水が止められる。
【００２０】
以上のように、本実施形態においては、第１，第２バルブユニット２１，２２が横方向に並設されている構成において、第１，第２押しボタン３１，３４が縦方向に並設されていて、それらの第１，第２押しボタン３１，３４の押し下げ方向がほぼ同方向である下方または斜め下方であるため、吐水及び止水を容易に実行できる。つまり、第１，第２バルブユニット２１，２２が横方向に並設されていても、その上部に位置する第１押しボタン３１においては押し込み脚３３が第１バルブユニット２１に向かって下方に延長しているので、第１バルブユニット２１の横向きの被動ボタン２３を難なく押し込むことができる。これに対し、第１押しボタン３１の下側であって、第２バルブユニット２２の前方側に位置する第２押しボタン３４も下方へ操作されるものである。このため、第１バルブユニット２１とほぼ同じ高さに位置する第２バルブユニット２２の被動ボタン２４を第１押しボタン３１の押し込み脚によって後方に押し込むことは困難であり、仮に押し込むことができるとしても、強い押し込み力が必要になって、使用しにくいばかりでなく、軸３５の周辺等の部位に高い負荷が作用して、前記部位に頑丈な補強を施さなければ、破損のおそれがある。
【００２１】
この場合、第１，第２バルブユニット２１，２２を縦方向に並設して、第２押しボタン３４と第２バルブユニット２２との位置関係を第１押しボタン３１と第１バルブユニット２１と同様な位置関係にすれば、前記の問題点は解消できるが、このようにすれば、第１，第２バルブユニット２１，２２が縦方向に並設されるため、水栓が縦に長い形状になる。このため、水栓のデザイン性が低下するとともに、使用者の足許が狭くなって不便になる。これに対し、本実施形態の水栓は横長になるため、このような問題点は生じない。
【００２２】
この実施形態においては、以下の効果を得ることができる。
（１）第１押しボタン３１が下方に押し下げられることにより、押し込み脚３３により第１バルブユニット２１の被動ボタン２３は円滑に押し込まれる。第２バルブユニット２２の押し込み方向前方側に位置する第２押しボタン３４が斜め下方に押し下げ操作されても、被動ボタン２４のカム面２４１の作用により、被動ボタン２４が後方へ円滑に押し込まれる。従って、第１，第２押しボタン３１，３４を第１，第２バルブユニット２１，２２の並設方向と異なる縦方向に並設できる。言い換えれば、第１，第２押しボタン３１，３４を縦方向に並設しても、第２バルブユニット２２の前方に位置する第２押しボタン３４を第１押しボタン３１と同様に円滑に押し下げ操作できて、操作しやすいものとなる。
【００２３】
（２）従って、第１，第２バルブユニット２１，２２を横方向に並設しても、作動上の問題は生じることがなく、水栓全体を横長に形成してデザイン性に優れたものにすることができるとともに、使用者の足許が狭くなることはなく、使いやすい水栓を実現できる。
【００２４】
（３）そして、実施形態では、使用者に対して上部側から供給されるシャワーの吐水及び止水を切換えるための第１押しボタン３１がカバー１２の上部に、使用者に対して下側から供給されるスパウト水の吐水及び止水を切換えるための第２押しボタン３４が下部に配置されている。従って、使用者は、第１押しボタン３１とシャワーとの対応を、第２押しボタン３４とスパウトとの対応を一目で、直感的に認識できる。従って、水栓を使用しやすいものとすることができる。
【００２５】
（４）動作方向変更機構のカム面２４１をローラ３７が転動するため、カム面２４１とローラ３７との間には摩擦抵抗がほとんど生じることはなく、従って、第２押しボタン３４のスムーズな動作を得ることができる。
【００２６】
（変更例）
なお、この実施形態は、次のように変更して具体化することも可能である。
・図９に示すように、第２バルブユニット２２の被動ボタン２４のカム面２４１の形状を直線的な斜面に変更すること。
【００２７】
・第２押しボタン３４のローラ３７に代えて、押し込み脚３６の先端がカム面２４１に直接当接されるようにすること。この場合、少なくとも押し込み脚３６及びカム面２４１のうちの少なくとも一方の当接面にフッ素樹脂等の摩擦係数の小さな材質によるコーティングを施すことが望ましい。
【００２８】
・図１０に示すように、前記実施例とは逆に、被動ボタン２４にローラ３８を、押し込み脚３６にカム面３６１を設けること。
・第２押しボタン３４の軸３５を前記投影面Ｆの下方に位置させること。この場合、図８に示すように、第２押しボタン３４の前面３４１に対する軸３５とローラ３７の軸３７１との中心を結ぶ線Ｃ１の角度が大きくなるが、前記実施形態と同様な作用を得ることができる。
【００２９】
・前記とは逆に、軸３５を投影面Ｆの上方に位置させること。この場合、前記実施形態と同様な作用を得ることができるが、被動ボタン２４のカム面２４１は被動ボタン２４の上半部に設けることが好ましい。
【００３０】
・押しボタン及びバルブユニットの数が１または３以上の水栓において本発明を具体化すること。
【符号の説明】
【００３１】
２１…第１バルブユニット、２２…第２バルブユニット、２３…被動ボタン、２４…被動ボタン、２４１…カム面、３１…第１押しボタン、３２…軸、３３…押し込み脚、３４…第２押しボタン、３５…軸、３６…押し込み脚、３６１…カム面、３７…ローラ、３８…ローラ。
【図１】
0006463606.tif 000002
【図２】
0006463606.tif 000003
【図３】
0006463606.tif 000004
【図４】
0006463606.tif 000005
【図５】
0006463606.tif 000006
【図６】
0006463606.tif 000007
【図７】
0006463606.tif 000008
【図８】
0006463606.tif 000009
【図９】
0006463606.tif 000010
【図１０】
0006463606.tif 000011